【手続補正書】
【提出日】平成20年2月27日(2008.2.27)
【手続補正１】
【補正対象書類名】明細書
【補正対象項目名】発明の名称
【補正方法】変更
【補正の内容】
【発明の名称】データ処理装置およびデータ処理方法、並びにプログラムおよびプログラム記録媒体
【手続補正２】
【補正対象書類名】明細書
【補正対象項目名】特許請求の範囲
【補正方法】変更
【補正の内容】
【特許請求の範囲】
【請求項１】  データを符号化するデータ処理装置であって、
第１のデータと第２のデータを符号化することにより、第３のデータを生成する符号化手段と、
前記第３のデータを、前記第１および第２のデータに復号するのに必要な復号情報を作成する作成手段と、
前記復号情報を、前記第３のデータに埋め込み、埋め込みデータを生成する埋め込み手段と
を備えることを特徴とするデータ処理装置。
【請求項２】  前記符号化手段は、前記第１のデータに、前記第２のデータを埋め込むことにより、前記第１および第２のデータを符号化する
ことを特徴とする請求項１に記載のデータ処理装置。
【請求項３】  前記符号化手段は、前記第１のデータの相関性を利用して、前記第３のデータを、前記第１および第２のデータに復号することができるように、前記第１のデータに、前記第２のデータを埋め込む
ことを特徴とする請求項２に記載のデータ処理装置。
【請求項４】  前記符号化手段は、前記第１および第２のデータを、所定の単位ごとに異なる符号化方法で符号化する
ことを特徴とする請求項１に記載のデータ処理装置。
【請求項５】  前記復号情報は、前記第３のデータを、前記第１および第２のデータに復号する処理をコンピュータに行わせるプログラムである
ことを特徴とする請求項１に記載のデータ処理装置。
【請求項６】  前記埋め込み手段は、前記第１および第２のデータを提示するのに必要な提示情報も、前記第３のデータに埋め込む
ことを特徴とする請求項１に記載のデータ処理装置。
【請求項７】  前記埋め込み手段は、前記第３のデータの相関性を利用して、前記符号化データを、前記第３のデータおよび復号情報に復号することができるように、前記第３のデータに、前記復号情報を埋め込む
ことを特徴とする請求項１に記載のデータ処理装置。
【請求項８】  前記埋め込み手段は、
前記第１のデータを、所定の符号化ルールにしたがって符号化し、
前記第２のデータに基づき、前記符号化ルールを破壊することにより、前記第１のデータに、前記第２のデータを埋め込む
ことを特徴とする請求項１に記載のデータ処理装置。
【請求項９】  データを符号化するデータ処理方法であって、
第１のデータと第２のデータを符号化することにより、第３のデータを生成する符号化ステップと、
前記第３のデータを、前記第１および第２のデータに復号するのに必要な復号情報を作成する作成ステップと
前記復号情報を、前記第３のデータに埋め込み、埋め込みデータを生成する埋め込みステップと
を備えることを特徴とするデータ処理方法。
【請求項１０】  データを符号化するデータ処理を、コンピュータに行わせるプログラムであって、
第１のデータと第２のデータを符号化することにより、第３のデータを生成する符号化ステップと、
前記第３のデータを、前記第１および第２のデータに復号するのに必要な復号情報を作成する作成ステップと、
前記復号情報を、前記第３のデータに埋め込み、埋め込みデータを生成する埋め込みステップと
を備えることを特徴とするプログラム。
【請求項１１】  データを符号化するデータ処理を、コンピュータに行わせるプログラムが記録されているプログラム記録媒体であって、
第１のデータと第２のデータを符号化することにより、第３のデータを生成する符号化ステップと、
前記第３のデータを、前記第１および第２のデータに復号するのに必要な復号情報を作成する作成ステップと、
前記復号情報を、前記第３のデータに埋め込み、埋め込みデータを生成する埋め込みステップと
を備えるプログラムが記録されている
ことを特徴とするプログラム記録媒体。
【請求項１２】  第１のデータと第２のデータを符号化することにより、第３のデータを生成し、前記第３のデータを、前記第１および第２のデータに復号するのに必要な復号情報を、前記第３のデータに埋め込むことにより生成された埋め込みデータを処理するデータ処理装置であって、
前記埋め込みデータを、前記第３のデータと、そこに埋め込まれている前記復号情報に復号する第１の復号手段と、
前記第３のデータを、前記復号情報にしたがって、前記第１および第２のデータに復号する第２の復号手段と
を備えることを特徴とするデータ処理装置。
【請求項１３】  前記第２の復号手段は、前記復号情報にしたがって、前記第３のデータを、所定の単位ごとに異なる復号方法で、前記第１および第２のデータに復号する
ことを特徴とする請求項１２に記載のデータ処理装置。
【請求項１４】  前記復号情報は、前記第３のデータを、前記第１および第２のデータに復号する処理をコンピュータに行わせるプログラムであり、
前記第２の復号手段は、前記プログラムを実行することにより、前記第３のデータを、前記第１および第２のデータに復号する
ことを特徴とする請求項１２に記載のデータ処理装置。
【請求項１５】  前記埋め込みデータには、前記第１および第２のデータを提示するのに必要な提示情報も埋め込まれており、
前記第１の復号手段は、前記提示情報も復号し、
前記提示情報にしたがって、前記第１および第２のデータを提示する提示手段をさらに備える
ことを特徴とする請求項１２に記載のデータ処理装置。
【請求項１６】  前記第３のデータは、前記第１のデータに、前記第２のデータを埋め込んだものである
ことを特徴とする請求項１２に記載のデータ処理装置。
【請求項１７】  前記第２の復号手段は、前記復号情報に基づき、前記第１のデータの相関性を利用して、前記第３のデータを、前記第１のデータと、その第１のデータに埋め込まれている前記第２のデータに復号する
ことを特徴とする請求項１６に記載のデータ処理装置。
【請求項１８】  前記第１の復号手段は、前記第３のデータの相関性を利用して、前記埋め込みデータを、前記第３のデータと、その第３のデータに埋め込まれている前記復号情報に復号する
ことを特徴とする請求項１２に記載のデータ処理装置。
【請求項１９】  前記第３のデータは、前記第１のデータを、所定の符号化ルールにしたがって符号化するとともに、前記第２のデータに基づき、前記符号化ルールを破壊することによって、前記第１のデータに、前記第２のデータを埋め込むことにより得られたものであり、
前記第１の復号手段は、
前記第１のデータを、前記符号化ルールにしたがって符号化されたデータに復元することにより、前記第１および第２のデータを復号する
ことを特徴とする請求項１２に記載のデータ処理装置。
【請求項２０】  第１のデータと第２のデータを符号化することにより、第３のデータを生成し、前記第３のデータを、前記第１および第２のデータに復号するのに必要な復号情報を、前記第３のデータに埋め込むことにより生成された埋め込みデータを処理するデータ処理方法であって、
前記埋め込みデータを、前記第３のデータと、そこに埋め込まれている前記復号情報に復号する第１の復号ステップと、
前記第３のデータを、前記復号情報にしたがって、前記第１および第２のデータに復号する第２の復号ステップと
を備えることを特徴とするデータ処理方法。
【請求項２１】  第１のデータと第２のデータを符号化することにより、第３のデータを生成し、前記第３のデータを、前記第１および第２のデータに復号するのに必要な復号情報を、前記第３のデータに埋め込むことにより生成された埋め込みデータを処理するデータ処理を、コンピュータに行わせるプログラムであって、
前記埋め込みデータを、前記第３のデータと、そこに埋め込まれている前記復号情報に復号する第１の復号ステップと、
前記第３のデータを、前記復号情報にしたがって、前記第１および第２のデータに復号する第２の復号ステップと
を備えることを特徴とするプログラム。
【請求項２２】  第１のデータと第２のデータを符号化することにより、第３のデータを生成し、前記第３のデータを、前記第１および第２のデータに復号するのに必要な復号情報を、前記第３のデータに埋め込むことにより生成された埋め込みデータを処理するデータ処理を、コンピュータに行わせるプログラムが記録されているプログラム記録媒体であって、
前記埋め込みデータを、前記第３のデータと、そこに埋め込まれている前記復号情報に復号する第１の復号ステップと、
前記第３のデータを、前記復号情報にしたがって、前記第１および第２のデータに復号する第２の復号ステップと
を備えるプログラムが記録されている
ことを特徴とするプログラム記録媒体。
【手続補正３】
【補正対象書類名】明細書
【補正対象項目名】０００１
【補正方法】変更
【補正の内容】
【０００１】
【発明の属する技術分野】
本発明は、データ処理装置およびデータ処理方法、並びにプログラムおよびプログラム記録媒体に関し、特に、例えば、広告情報等の特定の情報を、必ずユーザに提示することができるようにするデータ処理装置およびデータ処理方法、並びにプログラムおよびプログラム記録媒体に関する。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】０２６３
【補正方法】削除
【補正の内容】